(57)【要約】【課題】表面に凹凸のある化粧パネルの縁部とフレームとの間の隙間を最小限にする。【解決手段】化粧パネル組立体は、表側の面１１に凹凸が形成された矩形の化粧パネル１０と、この化粧パネル１０の４辺の縁部に沿って配置されたフレームとを備えている。化粧パネル１０の縁部の表側の部位には、平坦で連続した傾斜面１４が形成されている。フレームは、化粧パネル１０の縁部の裏側の面１２に沿うベース部２１と、化粧パネル１０の縁部を覆う被覆部２３と、この被覆部２３の先端縁から突出して化粧パネル１０の傾斜面１４に当たる爪部２４とを有している。爪部２４は断面がほぼ三角形をなし、その端縁部２４ｘが化粧パネル１０の傾斜面１４への当接部となっている。爪部２４の傾斜面１４への当接位置および爪部２４の外面２４ａは、化粧パネル１０の表側の面１１の凹凸の最深部位置Ｐ１とほぼ等しいかこれより厚み方向に後退している。【選択図】  図３
2004278077.tif 000002
【特許請求の範囲】
【請求項１】
表側の面に凹凸が形成された矩形の化粧パネルと、この化粧パネルの４辺の縁部に沿って配置されたフレームとを備え、
上記化粧パネルの各辺の縁部の表側の部位には、化粧パネルが配される基準平面に対して傾斜するとともに表側の面に交わる平坦で連続した傾斜面が形成され、
上記フレームは、化粧パネルの縁部の裏側の面に沿うベース部と、化粧パネルの縁部を覆う被覆部と、この被覆部の先端縁から突出して上記化粧パネルの傾斜面に当たる爪部とを有し、この爪部の外面が、上記化粧パネルの表側の面の凹凸の最高部位置とほぼ等しいかこれより厚み方向に後退していることを特徴とする化粧パネル組立体。
【請求項２】
上記爪部の傾斜面への当接位置および爪部の外面が、上記化粧パネルの表側の面の凹凸の最深部位置とほぼ等しいかこれより厚み方向に後退していることを特徴とする請求項１に記載の化粧パネル組立体。
【請求項３】
上記爪部の断面がほぼ三角形をなし、その内面が上記基準平面に対して上記傾斜面とほぼ等しい角度かこれより小さい角度をなして傾斜し、爪部の端縁部が、上記化粧パネルの傾斜面への当接部となることを特徴とする請求項２に記載の化粧パネル組立体。
【発明の詳細な説明】
【０００１】
【発明の属する技術分野】
本発明は、エンボス加工等により少なくとも表側の面に凹凸が形成された矩形の化粧パネルと、この化粧パネルの４つの縁部に沿うフレームとを備えた化粧パネル組立体に関する。
【０００２】
【従来の技術】
コンクリート建造物の外壁パネルとして、一枚の平板形状をなすアルミ板を用いる代わりに、アルミ板をエンボス加工してなる化粧パネルを用いる場合がある。エンボス加工で表面に明瞭な凹凸模様を付けるためには、アルミ板を薄板にする必要があるが、そうすると化粧パネルの縁部が薄肉のまま露出して、貧相な外観を呈することになる。そこで、特開２０００−２６２７３１号公報に開示されているようにフレームで化粧パネルの縁部を裏表から挟むようにして覆う必要がある。なお、鋳造により表面に凹凸を形成してなる比較的厚肉の化粧パネルの縁部を、外観性を高めるためにフレームで囲う場合もあるが、この場合も同様に、フレームで化粧パネルの縁部を裏表から挟むようにして覆う。
【０００３】
【特許文献１】
特開２０００−２６２７３１号公報（図１）
【０００４】
【発明が解決しようとする課題】
しかし、上記のようにフレームで挟むと、フレームの表側の部位と化粧パネルの表側の面の多数の凹部の間に隙間が生じてしまい、良好な外観を得られないばかりか、ゴミ等が侵入し易い欠点があった。
【０００５】
【課題を解決するための手段】
本発明は上記課題を解決するためになされたものであり、その要旨は、表側の面に凹凸が形成された矩形の化粧パネルと、この化粧パネルの４辺の縁部に沿って配置されたフレームとを備え、上記化粧パネルの各辺の縁部の表側の部位には、化粧パネルが配される基準平面に対して傾斜するとともに表側の面に交わる平坦で連続した傾斜面が形成され、上記フレームは、化粧パネルの縁部の裏側の面に沿うベース部と、化粧パネルの縁部を覆う被覆部と、この被覆部の先端縁から突出して上記化粧パネルの傾斜面に当たる爪部とを有し、この爪部の外面が、上記化粧パネルの表側の面の凹凸の最高部位置とほぼ等しいかこれより厚み方向に後退していることを特徴とする化粧パネル組立体にある。
【０００６】
上記構成によれば、フレームの爪部が化粧パネルの傾斜面に当たるようにして被覆部が化粧パネルの縁部を覆うため、化粧パネルの縁部を完全に覆うので外観性を高めることができる。また、化粧パネルの表側の面がフレームで隠される領域を最小限にすることができるので、外観性を高めることができるとともに、化粧パネルの表側の面とフレームの爪部との間へのゴミ等の侵入を最小限に抑制できる。
【０００７】
好ましい態様では、上記爪部の傾斜面への当接位置および爪部の外面が、上記化粧パネルの表側の面の凹凸の最深部位置とほぼ等しいかこれより厚み方向に後退している。これにより、爪部が化粧パネルの表側の面を全く覆わないので、外観性の更なる向上、ごみ侵入の確実な防止を図ることができる。
【０００８】
上記態様においてさらに好ましくは、上記爪部の断面がほぼ三角形をなし、その内面が上記基準平面に対して上記傾斜面とほぼ等しい角度かこれより小さい角度をなして傾斜し、爪部の端縁部が、上記化粧パネルの傾斜面への当接部となる。
爪部の端縁部が傾斜面に当たるので、爪部と傾斜面との隙間を最小限にすることができる。
【０００９】
上記化粧パネルの縁部は、切断加工等により、上記基準平面とほぼ直交するとともに上記傾斜面と交差する平坦な端面を有する場合がある。この端面は上記被覆部に覆われる。
【００１０】
【発明の実施の形態】
以下、本発明の一実施形態をなす化粧パネル組立体を、外壁構造に用いた場合を例にとって図面を参照しながら説明する。図１に示すように、建造物のコンクリート壁１には、モルタル２を介して既存のタイル壁３が形成されている。このタイル壁３を覆うようにして、多数の化粧パネル組立体８を縦横に並べることにより、外壁がリニューアルされる。
【００１１】
上記化粧パネル組立体８をコンクリート壁１に固定する構造について説明する。上記タイル壁３とモルタル２を貫通するようにしてアンカーボルト４がコンクリート壁１に打ち込まれている。このアンカーボルト４の突出端部にはアングル材５が一辺部をタイル壁３に当てるようにして固定されている。このアングル材５のタイル壁３と直交する他の辺部には、ブラケット６が固定されている。このブラケット６にはアルミ型材からなる長尺のアタッチメント７が固定されている。このアタッチメント７に、隣接する化粧パネル組立体８の縁部が隙間を介して取り付けられている。
【００１２】
図２に示すように、上記化粧パネル組立体８は、矩形をなす化粧パネル１０と、この化粧パネル１０の全周に沿うフレーム２０とを備えている。フレーム２０はアルミ型材からなる４本の枠材２０ａを有し、これら枠材２０ａは、化粧パネル１０の４つの縁部にそれぞれ沿うとともに、隣接する端部同士が連結されている。
【００１３】
図１に示すように、上記フレーム２０の各枠材２０ａは、化粧パネル１０の各縁部の裏面に沿うベース部２１と、このベース部２１の中間部から後方に突出する取付部２２と、このベース部２１の縁から前方に突出し、化粧パネル１０の縁部を覆う被覆部２３と、この被覆部２３の先端縁に形成された爪部２４とを有している。上記枠材２０ａの取付部２２を上記アタッチメント７に固定することにより、化粧パネル組立体８がコンクリート壁１に固定されている。
【００１４】
上記化粧パネル１０は、アルミ板（金属板）をエンボス加工してなる。なお、エンボス加工は、周面に凹凸模様が形成された一対のローラ間にアルミ板を送り込んで、アルミ板に凹凸模様を転写するものである。両ローラの凹凸模様は対応関係にあり、一方のローラの凸部に対応して他方のローラに凹部が形成されている。このエンボス加工により形成された化粧パネル１０は、図３，図４に示すように、その表側の面１１に凹凸が形成され、裏側の面１２にも表側の凹凸に対応した凹凸が形成され、全領域において厚みはほぼ等しくなっている。エンボス加工により明瞭な凹凸模様を得るためには、化粧パネル１０を比較的薄くする必要がある。本実施形態では厚さＴ１が約２ｍｍで、凹凸１１，１２の高さはそれぞれ約０．４ｍｍとなっている。凹凸模様は不規則であるが、図では規則的に示す。
【００１５】
次に、化粧パネル１０の縁部構造を、化粧パネル１０が配されて広がる平面Ｐ０（以下、基準平面と称す）を示した図３を参照しながら説明する。上記化粧パネル１０は、エンボス加工された板材を切断加工して得られるものであり、これにより各縁部には基準平面Ｐ０と直交する平坦な切断端面１３が形成されている。さらに化粧パネル１０の各縁部の表側の部位には、上記基準平面Ｐ０および端面１３と約４５°をなして傾斜した平坦な傾斜面１４が形成されている。
【００１６】
上記傾斜面１４は表側の面１１に交わり、その交差線１４ａは、表側の面１１の凹凸に対応した曲線をなしている。また、上記傾斜面１４は端面１３と交わり、その交差線１４ｂは直線をなしている。図３に示すように、表側の面１１の凹凸の最深部を通り上記基準平面Ｐ０と平行をなす仮想平面Ｐ１に対して、上記傾斜面１４と端面１３との交差線１４ｂは、厚み方向に後退した位置にあり、その後退距離は本実施形態では約０．４ｍｍである。換言すれば、傾斜面１４は上記仮想平面Ｐ１よりも後退した位置まで延び、裏側の面１２には達しない。交差線１４ｂは化粧パネル１０の各縁部の全長にわたって連続して直線的に延び、傾斜面４も帯形状をなして化粧パネル１０の各縁部の全長にわたって連続して延びている。
【００１７】
図１に示すように、化粧パネル１０の各縁部の裏側の面１２にはボルト１９がスタッド溶接されており、このボルト１９が枠材２０ａのベース部２１を貫通し、このボルト１９に螺合されたナット２９を締め付けることにより、枠材２０ａが化粧パネル１０の各縁部に固定されている。なお、上記ベース部２１は被覆部２３の近傍部で化粧パネル１０の裏面１２から僅かな隙間を介して離れている。より詳しくは、図３に示すように、裏側の面１２の凹凸の最高部を通り上記基準平面Ｐ１と平行をなす仮想平面Ｐ２から離れている。この隙間には接着剤が介在されている。
【００１８】
次に、上記枠材２０ａの被覆部２３，爪部２４の形状、およびこれらと上記化粧パネル１０の縁部との関係について図３，図４を参照しながら詳述する。被覆部２３は基準平面Ｐ０およびベース部２１とほぼ直交する平板形状をなし、内側の平坦面２３ａが化粧パネル１０の端面１３に当たっており、外側の平坦面２３ｂが化粧パネル１０の見せかけの厚みＴ２を与えている。
【００１９】
枠材２０ａの爪部２４は断面が三角形をなしており、基準平面Ｐ０と平行をなす外面２４ａと、基準平面Ｐ０に対して化粧パネル１０の傾斜面１４とほぼ等しい角度で傾斜する内面２４ｂとを有している。この内面２４ｂが傾斜面１４に当たっている。本実施形態ではこの内面２４ｂ全域が傾斜面１４への当接部となる。爪部２４の外面２４ａと内面２４ｂの交差部に位置する端縁部２４ｘは、傾斜面１４への当接部の一部となる。この端縁部２４ｘおよび外面２４ａは上記仮想平面Ｐ１とほぼ一致している。これにより、傾斜面１４と上側の面１１との交差縁１４ａは、爪部２４に隠されずにほぼ露出しており、表側の面１１の多数の凹部が爪部２４の裏側に位置して両者の間に隙間が形成されることはなく、。
【００２０】
図３（Ａ）〜（Ｃ）および図４に示すように、爪部２４の端縁部２４ｘと上記交差線１４ａとの間の距離は、爪部２４ａの長手方向に沿って変わる。ある位置では図３（Ａ）に示すように端縁部２４ｘと交差線１４ａが重なり、ある位置では図３（Ｃ）に示すように端縁部２４ｘと交差線１４ａとの間の距離が最大となり、ある位置では図３（Ｂ）に示すように端縁部２４ｘと交差線１４ａとの間の距離が中程度となる。
なお、端面１３と傾斜面１４との交差線１４ｂは、被覆部２３と爪部２４により隠されている。
【００２１】
上記構成によれば、化粧パネル組立体８の縁部の厚さが化粧パネル１０自体の厚さＴ１ではなくフレーム２０のベース部２１と被覆部２３の厚さＴ２となり、良好な外観を呈する。また、フレーム２０の爪部２４が化粧パネル１０の傾斜面１４に当たり、しかも表側の面１１に全く被さらないので、外観をさらに向上でき、両者の間へのゴミ等の侵入も確実に防止できる。
【００２２】
図５，図６には本発明の第２実施形態を示す。本実施形態において第１実施形態に対応する構成部には同番号を付してその詳細な説明を省略する。本実施形態では、傾斜面１４が第１実施形態よりも深く、幅広に形成されている。爪部２４の端縁部２４ｘは丸みを帯びている。爪部２４の内面２４ｂの基準平面Ｐ０に対する傾斜角度は、化粧パネル１０の傾斜面１４より小さく、そのため端縁部２４ｘだけが傾斜面１４に当たっている。この端縁部２４ｘ（傾斜面１４への当接部）および外面２４ａは表側の面１１の最深部を通る仮想平面Ｐ１よりも厚み方向に後退している。爪部２４から露出した傾斜面１４は連続した帯状をなす。
【００２３】
なお、他の実施形態として、図５において、爪部２４の端縁部２４ｘ（傾斜面１４への当接部）および外面２４ａは、表側の面１１の最深部を通る仮想平面Ｐ１と表側の面１１の最高部を通る仮想平面Ｐ３との間に位置させてもよい。この実施形態では、第１，第２実施形態と異なる爪部２４が化粧パネル１０の表側の面１１に微小領域だけ被さるが、最小限に止まる。
【００２４】
本発明は上記実施形態に制約されず種々の形態を採用可能である。例えば、化粧パネルは、アルミ鋳造板で成形し、表側の面だけに凹凸があるものでもよい。また、本発明の化粧パネル組立体は、外壁パネル以外にも適用できる。
【００２５】
【発明の効果】
以上説明したように本発明によれば、表面に凹凸のある化粧パネルの縁部をフレームで囲う構造であっても、フレームと化粧パネルとの間の隙間を最小限にすることができ良好な外観を得ることができるとともに、ゴミ等の侵入を抑制することができる。
【図面の簡単な説明】
【図１】本発明の一実施形態をなす化粧パネル組立体を組み込んだ外壁構造を示す横断面図である。
【図２】同化粧パネル組立体の正面図である。
【図３】（Ａ），（Ｂ），（Ｃ）は、同化粧パネル組立体の縁部の異なる位置での拡大断面図である。
【図４】図３において右方向から見た拡大側面図である。
【図５】本発明の第２実施形態をなす化粧パネル組立体の縁部の拡大断面図である。
【図６】図５において右方向から見た拡大側面図である。
【符号の説明】
８  化粧パネル組立体
１０  化粧パネル
１１  表側の面
１２  裏側の面
１３  端面
１４  傾斜面
１４ａ  傾斜面と表側の面との交差線
１４ｂ  傾斜面と端面との交差線
２０  フレーム
２１  ベース部
２３  被覆部
２４  爪部
２４ａ  爪部の外面
２４ｂ  爪部の内面
２４ｘ  爪部の端縁部
Ｐ０  基準平面
【図１】
2004278077.tif 000003
【図２】
2004278077.tif 000004
【図３】
2004278077.tif 000005
【図４】
2004278077.tif 000006
【図５】
2004278077.tif 000007
【図６】
2004278077.tif 000008